(57)【要約】【課題】タッチ領域に複数の異なるデバイスを搭載している携帯端末装置において、使用者が異なるタッチ領域を跨ぐ操作をする際に、該使用者が誤って意図しないボタンをタッチしてしまうことを防止すること。【解決手段】情報入力ユニット１から情報を入力するＣＰＵ（別図）は、キー入力部２における入力操作がなされた後、所定の一定時間が経過したなら、キー入力部２の領域からキー入力部３の領域にまで指が移動しても、キー入力部３の入力操作は無効とし、キー入力部２に対して行った操作をそのまま正式に指定された入力操作として、該正式の入力操作に対応した処理を行う。但し、使用者が、キー入力部２のアイコンから指を離して所定の他の一定時間が経過したなら、キー入力部３の入力操作を有効とする。【選択図】図１
2013020525.tif 000002
【特許請求の範囲】
【請求項１】
使用者の身体の一部が情報入力ユニット上の複数の領域のいずれか１つの領域に表示されている所定の表示画像に接触または近接する状態を検出したときに、該所定の表示画像に対応する情報を該領域からの入力情報とする、前記領域に対応した複数の入力手段と、
前記いずれか１つの入力手段による入力を第１の所定の一定時間に渡って検出したときに、当該入力手段を除く他の入力手段による入力を無効とする入力制限手段と、
を備えたことを特徴とする携帯端末装置。
【請求項２】
前記使用者の身体の一部が前記所定の表示画像の前記接触または近接する状態から離脱しても、第２の所定の一定時間内に前記使用者の身体の一部が再び前記所定の表示画像の前記接触または近接する状態となれば、該所定の表示画像に対応する情報を再び該領域からの入力情報とすることを特徴とする請求項１記載の携帯端末装置。
【請求項３】
前記いずれか１つの入力手段による入力を前記第１の所定の一定時間に渡って検出し、当該入力手段を除く他の入力手段による入力が無効とされた後、前記使用者の身体の一部が前記所定の表示画像の前記接触状態または前記近接状態から離脱する状態が生じ、かつ該状態が生じた時刻から第３の所定の一定時間が経過したときには、前記他の入力手段による入力を再び有効とすることを特徴とする請求項１または請求項２記載の携帯端末装置。
【請求項４】
前記他の入力手段による入力が無効とされた後、前記他の入力手段のいずれか１つの入力手段に対応する領域に前記使用者の身体の一部が第４の所定の時間に渡って接触または近接する状態となれば、当該領域に対応する入力手段による入力を有効とすることを特徴とする請求項１乃至３のいずれか１項に記載の携帯端末装置。
【請求項５】
前記複数の領域の各々は前記情報入力ユニット上に物理的に構成されたものであることを特徴とする請求項１乃至４のいずれか１項に記載の携帯端末装置。
【請求項６】
前記複数の領域の各々は初期設定において定義されたか、若しくは起動後の設定により定義されたものであることを特徴とする請求項１乃至４のいずれか１項に記載の携帯端末装置。
【請求項７】
請求項１乃至６のいずれか１項に記載の携帯端末装置によって構成された、携帯端末電話装置、ゲーム機、タブレット型のコンピュータ、及びノート型のコンピュータ。
【請求項８】
使用者の身体の一部が情報入力ユニット上の複数の領域のいずれか１つの領域に表示されている所定の表示画像に接触または近接する状態が検出されたときに、該所定の表示画像に対応する情報を該領域からの入力情報とする前記領域に対応した複数の入力ステップと、
前記いずれか１つの入力ステップによる入力を第１の所定の一定時間に渡って検出したときに、当該入力ステップを除く他の入力ステップによる入力を無効とする入力制限ステップと、
を有することを特徴とする情報入力ユニットによる入力方法。
【請求項９】
前記使用者の身体の一部が前記所定の表示画像の前記接触または近接する状態から離脱しても、第２の所定の一定時間内に前記使用者の身体の一部が再び前記所定の表示画像の前記接触または近接する状態となれば、該所定の表示画像に対応する情報を再び該領域からの入力情報とすることを特徴とする請求項８記載の情報入力ユニットによる入力方法。
【請求項１０】
使用者の身体の一部が情報入力ユニット上の複数の領域のいずれか１つの領域に表示されている所定の表示画像に接触または近接する状態が検出されたときに、該所定の表示画像に対応する情報を該領域からの入力情報とする前記領域に対応した複数の入力ステップと、
前記いずれか１つの入力ステップによる入力を第１の所定の一定時間に渡って検出したときに、当該入力ステップを除く他の入力ステップによる入力を無効とする入力制限ステップと、
を有することを特徴とするコンピュータプログラム。
【発明の詳細な説明】
【技術分野】
【０００１】
本発明は、携帯端末装置及び情報入力ユニットによる入力方法並びにコンピュータプログラムに係り、特に、情報入力ユニットに定義された複数の入力領域に対応した複数の入力手段のいずれか１つを入力操作動作の時間推移によって選択し、他の入力手段を無効とする携帯端末装置及び情報入力ユニットによる入力方法並びにコンピュータプログラムに関する。
【背景技術】
【０００２】
近年、携帯端末装置は、表示エリアが大きいタッチパネル付きの表示装置を有するものが主流となってきている。
しかも、装置のサイズをコンパクトにしながらも、表示エリアについては大きくすることが課題となっている。特に、デバイス上の制約を、ソフトウェアのプログラムやファームウェア（表示専用チップ等）で極力吸収できるように構成することが求められている。
なお、タッチ領域に２つの異なるタッチパネル用のデバイスを搭載することは、携帯端末装置の構造にハードウェアとしての専用キーを別途に搭載する必要を無くすことができるので、画面の表示面積を大きくすることができる。この点も１つの大きなメリットと考えられている。
【０００３】
但し、タッチ領域に２つの異なるデバイスを搭載している携帯端末装置の場合、使用者がそれらのデバイスを跨いでタッチをしてしまうと、該使用者が意図しない該携帯端末装置の機能を選択してしまうことになり、この点を解決することも携帯端末装置の重要な課題とされている。本発明はこの課題も解決している。
この分野の公知技術として、例えば、特許文献１には、表示部の前面にタッチパネルを設ける構造の携帯電話機が開示されており、この携帯電話機において、実行されるアプリケーションに関する処理に利用される情報を入力するための操作画面を表示する。
この操作画面は、例えば、タッチパネルの表示部の左側の領域に対応する領域をタッチ等の操作を行うことにより、表示部の左側の領域に表示されるものとしている。
【０００４】
また、この操作画面は、タッチパネルの表示部の中央領域に対応する領域を使用者がタッチ等の操作を行うことにより、表示部の中央部に表示され、さらに、タッチパネルの表示部の右側の領域に対応する領域を使用者がタッチ等の操作を行うことにより、表示部の右側の領域に表示されるものとしている。
また、例えば、特許文献２には、表示部の前面にタッチパネルが設けられている携帯電話機が開示されており、この携帯電話機では、当該携帯電話機において実行されるアプリケーションに関する処理に利用される情報を入力するための操作画面を表示する。
この操作画面は、例えば、タッチパネルの表示部の左側の領域に対応する領域を使用者がタッチ等の操作を行うことにより、表示部の左側の領域に表示されるものとしている。
【０００５】
また、この操作画面タッチパネルの表示部の中央の領域に対応する領域を使用者がタッチ等の操作を行うことにより、表示部の中央部に表示されるものとしており、さらに、タッチパネルの表示部の右側の領域に対応する領域を使用者がタッチ等の操作を行うことにより、表示部の右側の領域に表示されるものとしている。
また、例えば、特許文献３には、タッチパネルによる入力手段と、表示動作が可能な表示手段とを備えた携帯電話機が開示されており、この携帯電話機では、固定動作モードのときに割り当てる入力動作にはテンキーを割り当てるものとしている。
この表示手段は、タッチパネルによる入力手段と上下に重なる位置において表示動作が可能な表示手段としており、液晶表示装置、有機ＥＬ表示装置等の表示装置を用いて構成できるものとしている。
【０００６】
なお、この携帯電話機は、制御部を有し、この制御部は、タッチパネル上の或る所定の位置が押下された場合に実行される制御として、表示動作モードと、固定動作モードとの、２種類のタッチパネル入力モードを有するものとしている。
さらに、例えば、特許文献４には、矩形の板状の筐体を備える携帯端末装置が開示されている。この筐体の一方の正面には、タッチパネルが大部分を占めて構成されている。
このタッチパネルは、表示機能及び入力機能との両方の機能を備えるものとしている。
なお、このタッチパネルは、ディスプレイ装置と、上面に複数配置された接触動作を検出するための素子、及び、さらにその上に積層された透明な操作面で構成されている。
【先行技術文献】
【特許文献】
【０００７】
【特許文献１】特開２００９−２８４４６８号公報
【特許文献２】特開２０１０−００３３０７号公報
【特許文献３】特開２０１１−０６０１６６号公報
【特許文献４】特開２０１１−０８２７２４号公報
【発明の概要】
【発明が解決しようとする課題】
【０００８】
しかしながら、上記背景技術で述べた公知の携帯端末装置にあっては、タッチ領域に２つの異なるデバイスを搭載している携帯端末装置の場合、使用者がそれらのデバイスを跨いでタッチをしてしまうと、該使用者が意図しない該携帯端末装置の機能を選択してしまうといった問題点が有った。
本発明では上記の問題点を解決することを課題としているが、前述の特許文献１〜４に開示されている技術では、この課題の解決方法を開示していない。
本発明は、上記公知技術の問題点に鑑みてなされたものであって、タッチ領域に複数の異なるデバイスを搭載している携帯端末装置において、使用者が異なるタッチ領域を跨ぐ操作をする際に、該使用者が誤って意図しないボタンをタッチしてしまうことを防止することができる携帯端末装置及び情報入力ユニットによる入力方法並びにコンピュータプログラムを提供することを目的としている。
【課題を解決するための手段】
【０００９】
上記課題を解決するために、本発明に係る携帯端末装置は、使用者の身体の一部が情報入力ユニット上の複数の領域のいずれか１つの領域に表示されている所定の表示画像に接触または近接する状態を検出したときに、該所定の表示画像に対応する情報を該領域からの入力情報とする、前記領域に対応した複数の入力手段と、前記いずれか１つの入力手段による入力を第１の所定の一定時間に渡って検出したときに、当該入力手段を除く他の入力手段による入力を無効とする入力制限手段と、を備えたことを特徴とする。
【００１０】
また、本発明は、前記の携帯端末装置によって構成された、携帯端末電話装置、ゲーム機、タブレット型のコンピュータ、及びノート型のコンピュータを提供するものである。
【００１１】
また、本発明に係る情報入力ユニットによる入力方法は、使用者の身体の一部が情報入力ユニット上の複数の領域のいずれか１つの領域に表示されている所定の表示画像に接触または近接する状態が検出されたときに、該所定の表示画像に対応する情報を該領域からの入力情報とする前記領域に対応した複数の入力ステップと、前記いずれか１つの入力ステップによる入力を第１の所定の一定時間に渡って検出したときに、当該入力ステップを除く他の入力ステップによる入力を無効とする入力制限ステップと、を有することを特徴とする。
【００１２】
さらに、本発明に係るコンピュータプログラムは、使用者の身体の一部が情報入力ユニット上の複数の領域のいずれか１つの領域に表示されている所定の表示画像に接触または近接する状態が検出されたときに、該所定の表示画像に対応する情報を該領域からの入力情報とする前記領域に対応した複数の入力ステップと、前記いずれか１つの入力ステップによる入力を第１の所定の一定時間に渡って検出したときに、当該入力ステップを除く他の入力ステップによる入力を無効とする入力制限ステップと、を有することを特徴とする。
【発明の効果】
【００１３】
以上説明したように、本発明の携帯端末装置によれば、使用者のキー入力操作が誤って、指等による接触または近接状態が１つの領域から他の領域に跨いで移動した場合にも、誤ってキー入力操作されることを防止することができる効果が有る。
【図面の簡単な説明】
【００１４】
【図１】本発明の実施形態に係る携帯端末装置の情報入力ユニット上の１例としての表示要素の配置を示す上面図である。
【図２】本発明の実施形態に係る携帯端末装置の１例としての回路構成を示すブロック構成図である。
【図３】本発明の実施形態に係る携帯端末装置の情報入力ユニットによる入力操作時の動作を示すフローチャート図である。
【発明を実施するための形態】
【００１５】
本発明の携帯端末装置は、接触または近接を検出して入力を行う任意の複数の領域上の入力手段のいずれかを操作した場合に、該操作が終了しても、所定の一定時間が経過するまでは他の領域上の入力手段を無効とすることを特徴とする。
以下、本発明の携帯端末装置及び情報入力ユニットによる入力方法並びにコンピュータプログラムの実施形態について、図面を参照して詳細に説明する。
図１は、本発明の実施形態に係る携帯端末装置の情報入力ユニット上の１例としての表示要素の配置を示す上面図である。
同図に示す本実施形態の携帯端末装置１０の情報入力ユニット１は、キー入力部２（タッチ領域）と、キー入力部３（タッチ領域）とを備える。
【００１６】
情報入力ユニット１としては、入力部分に何等かのセンサーを使用する場合（例えば、タッチパネルとして構成する場合）は、使用者の接触を検出する接触型であっても良いし、また、使用者との近接を検出する近接型であっても良い。
但し、本発明では、一般に、情報入力ユニット１を、情報入力用のセンサーを使用しない入力装置として構成することもできる。
さらに、ここでは、本発明の実施形態に係る携帯端末装置として、一般的な携帯端末装置１０を示したが、一般に、本発明の適用が可能な機器には、携帯電話機、ゲーム機、タブレットＰＣ、ノートＰＣなども含まれる。
同図に例示する表示要素として、タッチ領域であるキー入力部２には、符号４で代表されるアイコン（ＩＣＯＮ（所定の表示画像の一種））類が表示されている。また、タッチ領域であるキー入力部３には、符号５で代表される他のアイコン類（所定の表示画像）が表示されている。これらのアイコン類（所定の表示画像）は何等かの入力情報と対応している。
ここでは、このキー入力部２，３は、物理的に明解に区分された２つの領域としたが、本発明では、一般に、情報入力ユニット１を、初期設定か、若しくは起動後の設定により、論理的に区分された任意の複数の領域として使用することができる。
また、前記の領域自体を何等かの情報入力と対応した前記の所定の表示画像とすることも可能である。
【００１７】
図２は、本発明の実施形態に係る携帯端末装置の１例としての回路構成を示すブロック構成図である。
同図に示す本実施形態の携帯端末装置１０は、ＣＰＵ１１（中央処理装置）と、ＲＯＭ１２と、キー入力部１３と、表示部１４と、ＲＡＭ１５と、バス２０と、を備える。
ＣＰＵ１１は、バス２０を介して装置内の他の回路要素と接続されている。
このうちＲＯＭ１２は、ＣＰＵ１１によって実行される各種の制御用プログラムの固定的なデータを格納したリード・オンリ・メモリである。
ＲＡＭ１５はＲＡＭ（ランダム・アクセス・メモリ）によって構成されており、ＣＰＵ１１がプログラムを実行する上で一時的に必要とされるデータを格納する。
キー入力部１３は、図１に示すキー入力部２，３の領域からのキー入力を受け付ける入力回路である。
【００１８】
表示部１４は、例えば、図１に示すような携帯端末装置本体の前面に配置されているキー入力部２（タッチ領域）及びキー入力部３（タッチ領域）における画像表示を制御する回路であり、白黒あるいはカラーの液晶パネルあるいは有機ＥＬ（電子蛍光）等の表示装置として構成することができる。
以下、本実施形態に係る携帯端末装置１０の情報入力ユニット１の操作方法の１例について説明する。
図１に示す情報入力ユニット１において、使用者は、タッチ領域の異なるキー入力部２のアイコンとキー入力部３のアイコンとをクリック操作することができるが、このクリック操作として、キー入力部２のアイコンとキー入力部３のアイコンとを同時にクリックすることは許されており、この同時クリックに対応した入力がなされるものとする（但し、この同時クリックに意味付けする機能自体は、本発明の本質的な部分ではない）。当然ながら、この同時クリックは、厳密には同時ではなく、僅かな時間間隔が生じる。
【００１９】
そこで、この実施形態では、ＣＰＵ１１が、前記の時間間隔が所定の微小な時間内であれば、前記の同時クリックがなされたものと見なし、さもなくて、前記の時間間隔が所定の微小な時間を超えている場合は前記の同時クリックがなされたのではなく、誤操作（誤ったタッチ）がなされたものと見なす。
よって、例えば、キー入力部２のアイコンを操作する際、情報入力ユニット１の上部から下部に向かって指をスライドする操作を行う場合などに、使用者が指をスライドさせ過ぎて、前記の所定の微小な時間を超えて、その指がキー入力部３のアイコンにまで触れてしまうと、使用者の意図した操作ができなくなってしまうことになる。
【００２０】
そこで、本発明の実施形態に係る携帯端末装置１０では、上記の問題点を解決するために、ＣＰＵ１１が、キー入力部２における入力操作がなされた後、所定の一定時間が経過したなら、キー入力部２の領域からキー入力部３の領域にまで指が移動しても、ＣＰＵ１１は、キー入力部３の入力操作は無効とし、キー入力部２に対して行った操作をそのまま正式に指定された入力操作として、該正式の入力操作に対応した処理を行うものとする。
しかし、このままでは、キー入力部３の入力操作は無効にされたままとなるので、ＣＰＵ１１は、使用者が、キー入力部２のアイコンから指を離せばキー入力部３の入力操作を有効とする。
【００２１】
但し、ＣＰＵ１１は、使用者が、キー入力部２のアイコンから指を離した直後からキー入力部３の入力操作が有効とするのではなく、使用者が、キー入力部２のアイコンから指を離して所定の一定時間が経過するまではキー入力部３の入力操作を無効とする。
また、ＣＰＵ１１は、使用者がキー入力部２のアイコンから指を離しても、所定の一定時間内に再びキー入力部２の領域に接触すれば、キー入力部２に対して行った直前の入力操作に対応する入力を再び有効とする。
【００２２】
図３は、本発明の実施形態に係る携帯端末装置の情報入力ユニットによる入力操作時の動作を示すフローチャート図である。
以下、図１，２を参照しながら、図３に示すフローチャートを用いて、本実施形態に係る携帯端末装置１０の情報入力ユニット１による入力操作時の動作を説明する。
（ステップＳ１）
ステップＳ１では、ＣＰＵ１１が、キー入力部２（図１）に使用者の指がタッチされるまで待機し、キー入力部２に使用者の指がタッチされるとステップＳ２に進む。
（ステップＳ２）
ステップＳ２では、ＣＰＵ１１が、キー入力部２に使用者の指がタッチされてから所定の一定時間経過後に、キー入力部３（図１）における使用者のキー入力を無効にする。
【００２３】
（ステップＳ３）
ステップＳ３では、ＣＰＵ１１が、キー入力部２から使用者の指が離されるまで待機し、キー入力部２から使用者の指が離されるとステップＳ４に進む。
（ステップＳ３）
ステップＳ３では、ＣＰＵ１１が、キー入力部２から使用者の指が離されてから所定の他の一定時間経過後に、キー入力部３における使用者のキー入力を有効にし、処理を終了する（継続動作とする場合は、処理の流れをステップＳ１に戻しても良い）。
なお、上記のフローチャートで示される処理において、ＣＰＵ１１は、キー入力部２とキー入力部３とを入れ換えた制御動作も行うものとする。
【００２４】
以上説明したように本発明によれば、使用者の指がキー入力部２（図１）の領域からキー入力部３（図１）の領域に跨いで移動した場合にも、携帯端末装置１０が誤まって入力操作されることを防止することができる効果が有る。
また、この誤動作防止の対策をソフトウェア（コンピュータプログラム）で実現し、情報入力ユニットを使用することで、デバイスとしての携帯端末装置の構造にキーを搭載しないことで、画面の表示面積を大きくすることができる効果が有る。
【００２５】
なお、本発明に係る携帯端末装置１０の各構成要素の処理の少なくとも一部をコンピュータ制御により実行するものとし、かつ、上記処理を、図３のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【００２６】
（その他の実施の形態）
前述の実施形態に係る携帯端末装置１０の動作に優先させて、キー入力部２の操作中に、使用者が他の領域（ここではキー入力部３の領域）に所定の一定時間に渡って接触すれば、これにより、該他の領域（ここではキー入力部３の領域）を有効化する（該領域での入力操作が行われると、その入力情報を受け付ける）ように構成することも可能である。
なお、前述の実施形態に係る携帯端末装置１０の説明では、使用者の指が誤ってキー入力部３のアイコンにまで触れてしまう場合の対策を示したが、この対策は、使用者の指を含む手の一部がキー入力部３の領域自体に触れることによって、キー入力部３の領域が有効となるように構成されている場合には、これを防ぐ対策としても適用可能である。
【符号の説明】
【００２７】
１  情報入力ユニット
２，３  キー入力部（タッチ領域）
４，５  アイコン
１０  携帯端末装置（本発明の実施形態に係る携帯端末装置）
１１  ＣＰＵ（中央処理装置）
１２  ＲＯＭ
１３  キー入力部
１４  表示部
１５  ＲＡＭ
２０  バス
【図１】
2013020525.tif 000003
【図２】
2013020525.tif 000004
【図３】
2013020525.tif 000005